(57)【要約】【課題】本発明は、絶縁テ−プの巻回外径の大小に拘わらずに常に安定した一定のバックテンションを付与せしめつつ巻付け作業を確実に行なうことができる、絶縁テ−プの巻付け工具を提供するにある。【解決手段】絶縁操作棒２により回転自在とされた中空回転体１４と、該中空回転体１４に揺動自在に取付けられた絶縁テ−プ用装着軸２１と、該装着軸２１と中空回転体１４との間に取付けられた絶縁テ−プ用ガイド体２３ａ・２３ｂ・２３ｃとよりなり、上記ガイド体２３ａ・２３ｂ・２３ｃは所定の間隔をおいて同期回転自在に対向配設された両側の略同径状ガイドロ−ラ２５ａ・２５ｂ・２５ｃ・２６により構成され、該両側のガイドロ−ラ２５ａ・２５ｂ・２５ｃ・２６間の間隔を一定に保持せしめつつ装着軸２１より巻戻した絶縁テ−プ３４を一定の圧力でもって挾持せしめながら巻付け方向にガイドせしめて巻付け作業を行なうものである。【選択図】図１
2013251962.tif 000002
【特許請求の範囲】
【請求項１】
絶縁操作棒により回転作動自在とされた電線挿入用開口部付き中空回転体と、該中空回
転体の一側外面に揺動自在な付勢部材付き支持ア−ムを介して取付けられた絶縁テ−プ用
装着軸と、該装着軸と中空回転体との間に介在せしめるべく上記支持ア−ムに取付けア−
ムを介して取付けられた絶縁テ−プ用ガイド体とよりなる、架空配電線路に絶縁テ−プを
巻付ける巻付け工具であって、上記ガイド体は所定の間隔をおいて同期回転自在に対向配
設された両側の略同径状ガイドロ−ラよりなり、該両側のガイドロ−ラ間の間隔を一定に
保持せしめつつ装着軸より巻戻した絶縁テ−プを一定の圧力でもって挾持せしめながら巻
付け方向にガイドせしめることを特徴とする、絶縁テ−プの巻付け工具。
【請求項２】
両側のガイドロ−ラ間の間隔を自由に調整せしめるべく調整ボルトが取付けア−ムに付
設されてなることを特徴とする、請求項１記載の絶縁テ−プの巻付け工具。
【請求項３】
両側のガイドロ−ラの一方はその外周面が凹凸面状に形成され、同他方はその外周面が
平滑面状に形成されてなることを特徴とする、請求項１または２記載の絶縁テ−プの巻付
け工具。
【請求項４】
両側のガイドロ−ラの少くとも一方にはその両端部に絶縁テ−プ用ガイドカラ−が環状
に形成されてなることを特徴とする、請求項１〜３のいづれか１項に記載の絶縁テ−プの
巻付け工具。
【発明の詳細な説明】
【技術分野】
【０００１】
本発明は、絶縁テ−プの巻付け工具に関し、更に詳細には、架空配電線の切分け作業や
切断復旧作業などにおいて、接続部位を防護せしめるべく被覆した絶縁カバ−の両端に絶
縁テ−プを巻付けるさいに使用する、絶縁テ−プの巻付け工具に関する。
【背景技術】
【０００２】
従来より、例えば、架空配電線の切分け作業や切断復旧作業などにおいて、所要の接続
部位に絶縁防護せしめるべく絶縁カバ−を装着せしめるさいには、接続部位に絶縁カバ−
を被嵌せしめたのち、その両端を絶縁テ−プでもってスパイラル状に巻回せしめ、絶縁性
や防水性を確保せしめるものとされている。
【０００３】
ところで、かかる絶縁テ−プの巻付け工具として、実開平３−３０７１３号公報には、
所要のケ−ス体に電線挿入用開閉部付き中空回転体が駆動機構を介して回転自在に装着さ
れると共に、該中空回転体にはブラケットを介してテ−プ装着軸と付勢バネ付き揺動ア−
ムとが対向状に取付けられ、かつ、該揺動ア−ムの先部にはフリクションロ−ラが枢着さ
れたものが開示されている。  
【０００４】
そして、上述の如く構成された巻付け工具は、中空回転体に開閉部を介して絶縁カバ−
が被嵌されてなる電線を挿通せしめ、駆動機構により中空回転体を所定方向に回転作動せ
しめつつ、テ−プ装着軸に装着した絶縁テ−プにフリクションロ−ラでもってバックテン
ションを付与せしめながら被嵌する絶縁カバ−の両側にスパイラル状に巻付けるものとさ
れている。
【０００５】
また、本出願人が先に提案した特開平９−１４９５２２号公報には、絶縁操作棒により
回転自在とされた電線挿入用開口部付き中空回転体と、該中空回転体の先端に取付け板を
介して取付けられたテ−プ装着軸およびガイドロ−ラと、該ガイドロ−ラに付勢バネ付き
揺動ア−ムを介して揺動制御自在に付設されたフリクションロ−ラとを基本構成とするも
のが開示されている。   
【０００６】
そして、上述の如く構成された巻付け工具は、中空回転体に開口部を介して絶縁カバ−
が被嵌されてなる電線を挿入せしめ、絶縁操作棒により中空回転体を所定方向に回転作動
せしめつつ、テ−プ装着軸に装着した絶縁テ−プを巻戻しながらフリクションロ−ラでも
ってバックテンションを付与せしめ、被嵌する絶縁カバ−の両端にスパイラル状に巻付け
るものとされている。
【先行技術文献】
【特許文献】
【０００７】
【特許文献１】実開平３−３０７１３号公報
【特許文献２】特開平９−１４９５２２号公報
【発明の概要】
【発明が解決しようとする課題】
【０００８】
ところで、上記特許文献１・２記載の巻付け工具は、付勢バネにより揺動ア−ムを介し
てフリクションロ−ラを付勢せしめつつ、絶縁テ−プにバックテンションを付与せしめる
ものであるから、必然的に絶縁テ−プの巻回外径に応じてバックテンションの強さが相違
するものである。このため、装着された絶縁テ−プの巻回外径が大、即ち、巻付け作業の
初期段階においてはバックテンションが弱い反面、巻付け作業の進展に伴って漸次巻回外
径が小さくなる絶縁テ−プに連動してバックテンションも非常に強くなるものであって、
常に不均一なバックテンションでもって巻付け作業を行なわざるを得ないものであり、ひ
いては、巻付けが不十分となって絶縁性や防水性などの面において電気的に不都合を生じ
やすいものである。また、外気温等の変化により絶縁テ−プの粘性及び硬度に差が生じる
ため、バックテンションの強弱を常に適正に調整しなければならず、その調整作業が非常
に面倒で煩しいものとなっていた。   
【０００９】
本発明は従来の課題を解決し、絶縁テ−プの巻回外径の大小に拘わらずに常に安定した
一定のバックテンションを付与せしめつつ巻付け作業を迅速、かつ、確実に行なうことが
できるものであって、常に絶縁性や防水性など電気的な面において優れた巻付け機能を有
効に発揮せしめることができる、絶縁テ−プの巻付け工具を提供するものである。
【課題を解決するための手段】
【００１０】
上記の目的を達成するため、本発明の請求項１記載の発明は、絶縁操作棒により回転作
動自在とされた電線挿入用開口部付き中空回転体と、該中空回転体の一側外面に揺動自在
な付勢部材付き支持ア−ムを介して取付けられた絶縁テ−プ用装着軸と、該装着軸と中空
回転体との間に介在せしめるべく上記支持ア−ムに取付けア−ムを介して取付けられた絶
縁テ−プ用ガイド体とよりなる、架空配電線路に絶縁テ−プを巻付ける巻付け工具であっ
て、上記ガイド体は所定の間隔をおいて同期回転自在に対向配設された両側の略同径状ガ
イドロ−ラよりなり、該両側のガイドロ−ラ間の間隔を一定に保持せしめつつ装着軸より
巻戻した絶縁テ−プを一定の圧力でもって挾持せしめながら巻付け方向にガイドせしめる
ことを特徴とする、絶縁テ−プの巻付け工具を要旨とするものである。
【００１１】
本発明の請求項２記載の発明は、両側のガイドロ−ラ間の間隔を自由に調整せしめるべ
く調整ボルトが取付けア−ムに付設されてなることを特徴とする、請求項１記載の絶縁テ
−プの巻付け工具を要旨とするものである。
【００１２】
本発明の請求項３記載の発明は、両側のガイドロ−ラの一方はその外周面が凹凸面状に
形成され、同他方はその外周面が平滑面状に形成されてなることを特徴とする、請求項１
または２記載の絶縁テ−プの巻付け工具を要旨とするものである。
【００１３】
本発明の請求項４記載の発明は、両側のガイドロ−ラの少くとも一方にはその両端部に
絶縁テ−プ用ガイドカラ−が環状に形成されてなることを特徴とする、請求項１〜３のい
づれか１項に記載の絶縁テ−プの巻付け工具を要旨とするものである。
【発明の効果】
【００１４】
本発明の請求項１記載の発明は、上述のように構成されているから、中空回転体に開口
部を介して絶縁カバ−を被嵌せしめた電線を挿通せしめ、絶縁操作棒により中空回転体を
所定方向に回動作動せしめつつ、装着軸に装着した絶縁テ−プをガイド体でもって巻付け
方向にガイドせしめつつ被嵌する絶縁カバ−の一端より順次スパイラル状に巻付けること
ができるものであって、特に、ガイド体は所定間隔をおいて同期回転自在に対向配設され
た両側の略同径状ガイドロ−ラよりなるものであるから、両側のガイドロ−ラを中空回転
体の回転作動に追従せしめつつ同期に回転作動せしめることができるものである。このた
め、絶縁テ−プの巻回外径の大小に拘わらず常に絶縁テ−プに一定のバックテンションを
付与せしめることができ、ひいては、巻付け作業を迅速、かつ、確実に行い、絶縁性や防
水性など電気的な面において優れた巻付け機能を有効に発揮せしめることができるもので
ある。   
【００１５】
本発明の請求項２記載の発明は、上述のように構成されているから、調整ボルトにより
両側のガイドロ−ラ間の間隔を適宜調整せしめ、挿通する絶縁テ−プを圧接状に適正挾持
せしめることができるものであって、ひいては、厚みの相違する種々の絶縁テ−プにも充
分対応することができるものである。      
【００１６】
本発明の請求項３記載の発明は、上述のように構成されているから、絶縁テ−プの非粘
着面を平滑面状ガイドロ−ラに接触せしめると共に、同粘着面を凹凸面状ガイドロ−ラに
接触せしめつつその接触面積を小にして接着力を低減せしめることができるものであって
、常に絶縁テ−プをスム−ズに、しかも確実にガイドせしめることができるものである。
【００１７】
本発明の請求項４記載の発明は、上述のように構成されているから、絶縁テ−プをガイ
ドロ−ラのガイドカラ−に沿ってガイドせしめることができるものであって、ひいては、
絶縁テ−プの横づれなどを生起せしめることなく確実にガイドせしめることができるもの
である。
【図面の簡単な説明】
【００１８】
【図１】本発明の一実施例を示す一部破砕正面図である。
【図２】本発明の一実施例を示す側面図である。
【図３】本発明の一実施例を示す斜視図である。
【図４】実施例のガイド体２３ａを示す正面図である。
【図５】実施例のガイド体２３ａを示す側面図である。
【図６】実施例のガイド体２３ａを示す斜視図である
【図７】実施例の使用状態を示す斜視図である。
【図８】実施例のガイド体２３ａに絶縁テ−プ３４をガイドせしめる状態を示す斜視図である。
【図９】実施例の他のガイド体２３ｂを示す側面図である。
【図１０】実施例の他のガイド体２３ｂを示す斜視図である。
【図１１】実施例の他のガイド体２３ｃを示す側面図である。
【図１２】実施例の他のガイド体２３ｃを示す斜視図である。
【発明を実施するための形態】
【００１９】
以下に、本発明を実施するための形態を図面に示す一実施例に基づいて詳細に説明する
。
【００２０】
図１乃至図８は本発明の一実施例を示すもので、同図中、１は絶縁操作棒２に装着自在
とされた略円筒状の基体、３は絶縁操作棒２により正逆に回転駆動せしめるべく該基体１
に内設された駆動軸、４は基体１上に立設されたケ−シング、５は後記する中空回転体１
４を正逆に回転作動せしめるべく該ケ−シング４内に内設された歯車機構で、該歯車機構
５は前記駆動軸３の先部に取付けられた傘歯車６と、該傘歯車６に噛合された傘歯車７と
、該傘歯車７と同軸状に配設された平歯車８と、後記する中空回転体１４の欠円歯車１６
に噛合せしめるべく該平歯車８に噛合された両側一対の平歯車９ａ・９ｂとより構成され
、該両側の平歯車９ａ・９ｂ間は欠円歯車１６を回転作動せしめるべく所定の間隔に設定
せしめられている。  
【００２１】
１０は前記ケ−シング４上に取付けられた略大径Ｃ字形状の開口部１１付き取付け部材
、１２は該取付け部材１０の内周面にガイド溝（図示略）を介して嵌合せしめつつ同心状
に回転自在に配設された略Ｃ字形状の開口部１３付き中空ガイド体、１４は該中空ガイド
体１２の一側面に同心状に枢着された略Ｃ字形状の開口部１５付き中空回転体で、該中空
回転体１４は正逆に回転作動せしめるべくその外周面には前記歯車機構５を構成する平歯
車９ａ・９ｂに噛合する欠円歯車１６が取付けられている。   
【００２２】
１７は前記中空回転体１４の外側面に段状形成された取付け片、１８は該取付け片１７
に枢着ピン１９を介して揺動自在に枢着された略倒Ｌ字形状の支持ア−ム、２０は該支持
ア−ム１８を前記中空回転体１４の正転方向（時計回り方向）に常時付勢せしめるべく付
設された付勢バネ、２１は支持ア−ム１８の自由端側に取付けられた絶縁テ−プ用装着軸
、２２は装着する後記絶縁テ−プ３４の抜脱を防止せしめるべく該装着軸２１の先端に着
脱自在に取付けられた押えリングである。２３ａは上記装着軸２１に対応すべく二又状の
取付けア−ム２４を介して取付けられたガイド体で、該ガイド体２３ａは取付けア−ム２
４の二又頂部両側に各々所定間隔をおいて同期回転自在に対向軸着された略同径状のガイドロ−ラ２５ａ・２６により構成されると共に、一方のガイドロ−ラ２５ａの外周面は周方向に筋目を形成せしめることにより凹凸面２７ａ状とされ、他方のガイドロ−ラ２６の外周面は平滑面２８状に形成されると共に両端部に絶縁テ−プ用ガイドカラ−２９が環状形成されている。３０は上記両側のガイドロ−ラ２５ａ・２６間の間隔を適宜調整せしめるべく取付けア−ム２４の二又部位にネジ孔３１を介して螺動自在に螺合された調整ボルトである。
その他、３２は架空配電線路における電線、３３は絶縁カバ−、３４は絶縁テ−プ、３
５・３６は該絶縁テ−プ３４の非粘着面と粘着面を各々示す。
【００２３】
次に、上述の如く構成された実施例の作動について説明する。
先ず、基体１を絶縁操作棒２に取付ける。そして、巻回状の絶縁テ−プ３４を装着軸２
１に装着し、押えリング２２によりその抜脱を防止せしめると共に、調整ボルト３０を所
定方向に回転してネジ戻し、ガイド体２３ａを構成する両側ガイドロ−ラ２５ａ・２６を
離間せしめ、絶縁テ−プ３４の厚みに合せて所要の間隙に調整する。次いで、装着軸２１
より絶縁テ−プ３４を若干巻戻し、その先端を両側ガイドロ−ラ２５ａ・２６間の間隙に
当てがいつつ、両側のガイドロ−ラ２５ａ・２６を手でもって回転せしめ、その間隙内に
巻込み状に挿通せしめて仮止めする。このさい、絶縁テ−プ３４は図８に図示するように
、その粘着面３６がガイドロ−ラ２５ａの凹凸面２７ａに、同非粘着面３５がガイドロ−
ラ２６の平滑面２８に各々接触せしめられると共に、同両側縁が各々ガイドカラ−２９に
接触せしめられている。絶縁テ−プ３４の仮止めが完了すると、再び調整ボルト３０を所
定方向に回転して螺動せしめつつ、両側ガイドロ−ラ２５ａ・２６間の間隙を調整せしめ
、挿通する絶縁テ−プ３４を圧接状に適正挾持せしめると共に、付勢バネ２０により支持
ア−ム１８を介して正転方向に付勢せしめる。   
【００２４】
両側ガイドロ−ラ２５ａ・２６間の間隔調整が完了すると、絶縁操作棒２により駆動軸
３を駆動せしめ、歯車機構５・欠円歯車１６を介して中空回転体１４を所定方向に回転作
動せしめ、中空回転体１４の開口部１５を取付け部材１０の開口部１１に合致せしめる。
次いで、絶縁操作棒２を操りつつ、架空配電線路の電線３２に中空回転体１４をアプロ−
チせしめ、その開口部１５より電線３２に被嵌する絶縁カバ−３３の一端を挿入せしめる
と共に、両側のガイドロ−ラ２５ａ・２６間に仮止めされた絶縁テ−プ３４の先部を絶縁
カバ−３３の一端がわに位置する電線３２部位に接着せしめる。しかるのち、絶縁操作棒
２により駆動軸３を駆動せしめ、歯車機構５・欠円歯車１６を介して中空回転体１４を時
計回り方向に正転作動せしめる。そして、かかる中空回転体１４の正転作動により絶縁テ
−プ３４を装着軸２１より巻戻しつつ、両側のガイドロ−ラ２５ａ・２６を介して絶縁カ
バ−３３の一端縁よりスパイラル状に巻付ける。  
【００２５】
このさい、ガイド体２３ａを構成する両側のガイドロ−ラ２５ａ・２６は同期に回転作
動せしめるべく略同径状とされているから、絶縁テ−プ３４を一定の圧力でもって挾持せ
しめつつ巻付け方向にガイドせしめることができるものであって、ひいては、絶縁テ−プ
３４の巻回外径の大小に拘わらず常に一定のバックテンションを付与せしめ、巻付け作業
を迅速、かつ確実に行なうことができるものである。また、絶縁テ−３４はその非粘着面
３５を一方のガイドロ−ラ２６の平滑面２８に接触せしめられると共に、同粘着面３６を
他方のガイドロ−ラ２５ａの凹凸面２７ａに接触せしめることにより接触面積を小にして
接着力を低減せしめることができるものであって、ひいては、常に絶縁テ−プ３４をスム
−ズに、しかも確実にガイドせしめることができるものである。また、一方のガイドロ−
ラ２６にはその両端部にガイドカラ−２９が環状形成されているから、絶縁テ−プ３４の
両側縁をガイドカラ−２９に沿ってガイドせしめることができ、ひいては、絶縁テ−プ３
４の横づれなどを生起せしめることなく確実にガイドせしめることができるものである。
【００２６】
以下、同様に絶縁操作棒２により中空回転体１４を正転作動せしめ、絶縁テ−プ３４を
絶縁カバ−３３にスパイラル状に巻付ける。そして、巻付けが完了すると、絶縁テ−プ３
４をテ−プカッタ−などにより切断せしめる。しかるのち、絶縁操作棒２により中空回転
体１４を所定方向に回転作動せしめつつ、その開口部１５を取付け部材１０の開口部１１
に合致せしめ、電線３２から解放する。次いで、絶縁テ−プ３４の巻付け端をヤットコな
どにより押圧せしめ、取付け作業を完了する。  
【００２７】
図９及び図１０は他のガイド体２３ｂを示すもので、ガイド体２３ｂを構成するガイド
ロ−ラ２５ｂの外周面は軸方向に筋目を形成せしめることにより凹凸面２７ｂ状とされて
いる点が上記実施例と相違し、他の部分は同一であり、同一符号は同一部分を示す。
【００２８】
図１１及び図１２は他のガイド体２３ｃを示すもので、ガイド体２３ｃを構成するガイ
ドロ−ラ２５ｃの外周面はその全周にわたってあや目を形成せしめることにより凹凸面２
７ｃ状とされている点が上記実施例と相違し、他の部分は同一であり、同一符号は同一部
分を示す。
【００２９】
なお、上記実施例の絶縁テ−プ３４はその一面が非粘着面とされると共に、同他面が粘
着面とされているが、これに限定されるものではなく、他の公知の絶縁テ−プの巻付けに
も適用せしめることができるものである。また、実施例は絶縁テ−プ３４を架空配電線路
の電線３２に被嵌した絶縁カバ−３３に巻付けるものとされているが、これに限定される
ものでなく、架空配電線路の剥離電線個所に絶縁−プ３４を巻付けるさいにも使用するこ
とができるものである。
【符号の説明】
【００３０】
２  絶縁操作棒
１４  中空回転体
１５  開口部
１８  支持ア−ム
２０  付勢バネ
２１  装着軸
２３ａ・２３ｂ・２３ｃ  ガイド体
２４  取付けア−ム
２５ａ・２５ｂ・２５ｃ  ガイドロ−ラ
２６  ガイドロ−ラ
２７ａ・２７ｂ・２７ｃ  凹凸面
２８  平滑面
２９  ガイドカラ−
３０  調整ボルト
３２  電線
３４  絶縁テ−プ
【図１】
2013251962.tif 000003
【図２】
2013251962.tif 000004
【図３】
2013251962.tif 000005
【図４】
2013251962.tif 000006
【図５】
2013251962.tif 000007
【図６】
2013251962.tif 000008
【図７】
2013251962.tif 000009
【図８】
2013251962.tif 000010
【図９】
2013251962.tif 000011
【図１０】
2013251962.tif 000012
【図１１】
2013251962.tif 000013
【図１２】
2013251962.tif 000014